(57)【特許請求の範囲】
【請求項１】
インタフェース盤に入力される送信信号を、前置増幅部を経由し、伝送路を介して対向伝送装置に送信し、かつ、前記対向伝送装置から送信され、前記伝送路を介して受信される受信信号を、前記前置増幅部を経由して前記インタフェース盤から出力する伝送装置において、
前記対向伝送装置との間で通信断の障害発生の時に該障害が復旧するまで、前記インタフェース盤から前記対向伝送装置に向けてリスタートパルスを送信するリスタートパルス送信手段と、
前記対向伝送装置から送信された前記リスタートパルスが自装置の前記前置増幅器で受信されたことを自装置の監視制御盤に通知する第１の通知手段と、
前記対向伝送装置から送信された前記リスタートパルスが自装置の前記インタフェース盤で受信されたことを自装置の監視制御盤に通知する第２の通知手段と、
前記第１及び第２の通知手段で通知されたリスタートパルスの受信結果を、前記伝送路の経路と異なる監視チャネルで前記対向伝送装置に通知する監視チャネル盤と、
前記第１及び第２の通知手段で通知されたリスタートパルスの受信結果、及び前記監視チャネル盤を介して通知された前記対向伝送装置におけるリスタートパルスの受信結果を基に、自装置若しくは前記対向伝送装置における前記前置増幅器と前記インタフェース盤との間の伝送路、又は前記対向伝送装置との間の伝送路の何れに障害が発生したかを特定する障害箇所特定手段と、
を備えたことを特徴とする伝送装置。
【請求項２】
インタフェース盤に入力される送信信号を、前置増幅部を経由し、伝送路を介して対向伝送装置に送信し、かつ、前記対向伝送装置から送信され、前記伝送路を介して受信される受信信号を、前記前置増幅部を経由して前記インタフェース盤から出力する伝送装置の障害発生箇所特定方法において、
前記対向伝送装置との間で通信断の障害発生の時に該障害が復旧するまで、前記インタフェース盤から前記対向伝送装置に向けてリスタートパルスを送信するリスタートパルス送信ステップと、
前記対向伝送装置から送信された前記リスタートパルスが自装置の前記前置増幅器で受信されたことを自装置の監視制御盤に通知する第１の通知ステップと、
前記対向伝送装置から送信された前記リスタートパルスが自装置の前記インタフェース盤で受信されたことを自装置の監視制御盤に通知する第２の通知ステップと、
前記第１及び第２の通知ステップで通知されたリスタートパルスの受信結果を、前記伝送路の経路と異なる監視チャネルで前記対向伝送装置に通知する第３の通知ステップと、
前記第１及び第２の通知ステップで通知されたリスタートパルスの受信結果、及び前記第３の通知ステップで通知された前記対向伝送装置におけるリスタートパルスの受信結果を基に、自装置若しくは前記対向伝送装置における前記前置増幅器と前記インタフェース盤との間の伝送路、又は前記対向伝送装置との間の伝送路の何れに障害が発生したかを特定する障害箇所特定ステップと、
を含むことを特徴とする伝送装置の障害発生箇所特定方法。
【発明の詳細な説明】
【技術分野】
【０００１】
本発明は、伝送装置及びその障害発生箇所特定方法に関する。本発明は、例えば、波長分割多重（ＷＤＭ：Wavelength Division Multiplex）方式の伝送システム等において、対向する伝送装置の障害発生箇所の特定に適用することができる。
【背景技術】
【０００２】
従来の波長分割多重方式等の伝送装置の構成例を図５に示す。図５において、５−１はＡ局の伝送装置、５−２はＢ局の伝送装置である。Ａ局の伝送装置５−１は、インタフェース盤（ＩＦ＃１〜８）５−１１、合成分岐増幅部（ＭＸＡＭＰＡ）５−１２、前置増幅部（ＰｒｅＡＭＰＡ）５−１３、監視制御盤（ＣＯＮＴ）５−１４を備える。
【０００３】
Ｂ局の伝送装置５−２も同様に、インタフェース盤（ＩＦ＃９〜１６）５−２１、合成分岐増幅部（ＭＸＡＭＰＢ）５−２２、前置増幅部（ＰｒｅＡＭＰＢ）５−２３、監視制御盤（ＣＯＮＴ）５−２４を備える。Ａ局の伝送装置５−１とＢ局の伝送装置５−２とは、光ファイバー等による双方向の伝送路（３）を介して相互に接続され、それぞれ、各インタフェース盤５−１１，５−２１から入力される信号を、伝送路（３）を介して相手側の伝送装置に伝送する。
【０００４】
Ａ局の伝送装置５−１の合成分岐増幅部（ＭＸＡＭＰＡ）５−１２は、自装置の各インタフェース盤（ＩＦ＃１〜８）５−１１から入力される信号を合成して増幅して、伝送路（１）を介して前置増幅部（ＰｒｅＡＭＰＡ）５−１３に出力し、また、該前置増幅部（ＰｒｅＡＭＰＡ）５−１３から伝送路（２）を介して入力される他装置からの信号を分岐して各インタフェース盤（ＩＦ＃１〜８）５−１１に出力する。
【０００５】
Ａ局の伝送装置５−１の前置増幅部（ＰｒｅＡＭＰＡ）５−１３は、自装置の合成分岐増幅部（ＭＸＡＭＰＡ）５−１２から伝送路（１）を介して出力される信号を、伝送路（３）を介してＢ局の伝送装置５−２へ送出し、該伝送路（３）を介してＢ局の伝送装置５−２から入力される信号を増幅し、伝送路（２）を介して自装置の合成分岐増幅部（ＭＸＡＭＰＡ）５−１２に出力する。
【０００６】
Ｂ局の伝送装置５−２の前置増幅部（ＰｒｅＡＭＰＢ）５−２３も同様に、Ａ局の伝送装置５−１から伝送路（３）を介して入力される信号を増幅し、伝送路（４）を介して自装置の合成分岐増幅部（ＭＸＡＭＰＢ）５−２２に出力し、自装置の合成分岐増幅部（ＭＸＡＭＰＢ）５−２２から伝送路（５）を介して出力される信号を、伝送路（３）を介してＡ局の伝送装置５−１へ送出する。
【０００７】
また、Ｂ局の伝送装置５−２の合成分岐増幅部（ＭＸＡＭＰＢ）５−２２も同様に、自装置の前置増幅部（ＰｒｅＡＭＰＢ）５−２３から伝送路（４）を介して入力される他装置からの信号を分岐して、各インタフェース盤（ＩＦ＃９〜１６）５−２１に出力し、該インタフェース盤（ＩＦ＃９〜１６）５−２１から入力される信号を合成して増幅し、伝送路（５）を介して前置増幅部（ＰｒｅＡＭＰＢ）５−２３に出力する。
【０００８】
上述の伝送路（１）〜（６）の何れの箇所で通信断の状態となると、Ａ局の伝送装置５−１とＢ局の伝送装置５−２との間の通信が遮断される。波長分割多重方式等の伝送装置５−１，５−２では、通信断の発生を検出すると、インタフェース盤５−１１，５−２１、合成分岐増幅部５−１２，５−２２、前置増幅部５−１３，５−２３の各出力信号の送出を停止する。
【０００９】
伝送装置５−１，５−２のインタフェース盤５−１１，５−２１は、通信断の発生時に出力信号の送出を停止するが、監視制御盤（ＣＯＮＴ）５−１４，５−２４から得られる一定タイミングのパルス信号を用い、障害が復旧するまでリスタートパルスを送信する。
【００１０】
このリスタートパルスは、伝送路（１）〜（６）等の通信断が復旧されれば、合成分岐増幅部５−１２，５−２２、前置増幅部５−１３，５−２３、及び対向する伝送装置のインタフェース盤で受信される。このリスタートパルスの受信により、障害の復旧が確認される。この動作は、回線自動復旧機能（ＡＲＣ機能）と称されている。
【００１１】
図６にリスタートパルスの発生の動作例を示す。同図に示すように、ネットワーク断（通信断）が発生すると（６−１）、前置増幅部（ＰｒｅＡＭＰ）５−１３，５−２３で入力断が検出され、前置増幅部（ＰｒｅＡＭＰ）５−１３，５−２３は、その出力を停止（シャットダウン）する（６−２）。
【００１２】
前置増幅部（ＰｒｅＡＭＰ）５−１３，５−２３の出力停止により、インタフェース盤５−１１，５−２１は、ネットワーク側（伝送路（３）の方向）への送信信号の出力を停止する（６−３）。これにより、合成分岐増幅部（ＭＸＡＭＰＢ）５−１２，５−２２で入力断が発生し、合成分岐増幅部（ＭＸＡＭＰＢ）５−１２，５−２２は、その出力を停止（シャットダウン）する（６−４）。
【００１３】
この状態で、インタフェース盤５−１１，５−２１は、監視制御盤（ＣＯＮＴ）５−１４，５−２４からの一定タイミングのパルス信号を用いて、障害復旧の確認のための信号（リスタートパルス）を出力する（６−５）。ネットワーク断となった障害箇所が復旧すると、対向伝送装置でリスタートパルスが受信され、該リスタートパルスの受信により、インタフェース盤、合成分岐増幅部、前置増幅部の出力信号の送出停止（シャットダウン）を解除する（６−６）。これにより、伝送システムが復旧する（６−７）。
【００１４】
伝送装置の故障点の特定に必要な監視情報を相手側の伝送装置に通知する技術は、例えば、下記の特許文献１に記載されている。この文献に記載された技術では、光伝送路内に配置される光増幅器の利得帯域内で主信号光の波長とは異なる波長で監視制御信号を生成し、所定の時間長及び時間間隔でバースト的に送信する監視制御信号と主信号とを波長多重して光伝送路を介して転送する。該監視制御信号の転送に際して、該監視制御信号の時間長を光増幅器の過渡応答の利得飽和時間より短く設定し、主信号に極力影響を与えずに転送する。
【先行技術文献】
【特許文献】
【００１５】
【特許文献１】特開２００３−２４９８９９号公報
【発明の概要】
【発明が解決しようとする課題】
【００１６】
上述したように、従来の伝送装置では伝送路（１）〜（６）の何れの箇所で切断状態となると、Ａ局の伝送装置５−１とＢ局の伝送装置５−２との間で通信断の状態となるが、何れの箇所で障害が発生しているのかを特定することは困難であった。特に、伝送装置５−１又は５−２が、保守者が容易に赴くことができないような場所に設置されている場合、通信障害の発生時に一方の伝送装置の設置場所に赴き、その伝送装置に障害原因が発見されなかった場合は、更に他方の伝送装置の設置場所に赴き、或いは同時に双方の伝送装置の設置場所に赴いて、障害発生箇所を特定しなければならず、障害発生箇所の特定作業に多くの労力が費やされていた。本発明は、対向伝送装置との間で通信断が発生したとき、自装置又は対向伝送装置の伝送路或いは自装置と対向伝送装置との間の伝送路の何れに障害が発生しているのかを特定可能にする。
【課題を解決するための手段】
【００１７】
本発明の伝送装置は、インタフェース盤に入力される送信信号を、前置増幅部を経由し、伝送路を介して対向伝送装置に送信し、かつ、前記対向伝送装置から送信され、前記伝送路を介して受信される受信信号を、前記前置増幅部を経由して前記インタフェース盤から出力する伝送装置において、前記対向伝送装置との間で通信断の障害発生の時に該障害が復旧するまで、前記インタフェース盤から前記対向伝送装置に向けてリスタートパルスを送信するリスタートパルス送信手段と、前記対向伝送装置から送信された前記リスタートパルスが自装置の前記前置増幅器で受信されたことを自装置の監視制御盤に通知する第１の通知手段と、前記対向伝送装置から送信された前記リスタートパルスが自装置の前記インタフェース盤で受信されたことを自装置の監視制御盤に通知する第２の通知手段と、前記第１及び第２の通知手段で通知されたリスタートパルスの受信結果を、前記伝送路の経路と異なる監視チャネルで前記対向伝送装置に通知する監視チャネル盤と、前記第１及び第２の通知手段で通知されたリスタートパルスの受信結果、及び前記監視チャネル盤を介して通知された前記対向伝送装置におけるリスタートパルスの受信結果を基に、自装置若しくは前記対向伝送装置における前記前置増幅器と前記インタフェース盤との間の伝送路、又は前記対向伝送装置との間の伝送路の何れに障害が発生したかを特定する障害箇所特定手段と、を備えたものである。
【００１８】
また、本発明の障害発生箇所特定方法は、前述の伝送装置の障害発生箇所特定方法において、前記対向伝送装置との間で通信断の障害発生の時に該障害が復旧するまで、前記インタフェース盤から前記対向伝送装置に向けてリスタートパルスを送信するリスタートパルス送信ステップと、前記対向伝送装置から送信された前記リスタートパルスが自装置の前記前置増幅器で受信されたことを自装置の監視制御盤に通知する第１の通知ステップと、前記対向伝送装置から送信された前記リスタートパルスが自装置の前記インタフェース盤で受信されたことを自装置の監視制御盤に通知する第２の通知ステップと、前記第１及び第２の通知ステップで通知されたリスタートパルスの受信結果を、前記伝送路の経路と異なる監視チャネルで前記対向伝送装置に通知する第３の通知ステップと、前記第１及び第２の通知ステップで通知されたリスタートパルスの受信結果、及び前記第３の通知ステップで通知された前記対向伝送装置におけるリスタートパルスの受信結果を基に、自装置若しくは前記対向伝送装置における前記前置増幅器と前記インタフェース盤との間の伝送路、又は前記対向伝送装置との間の伝送路の何れに障害が発生したかを特定する障害箇所特定ステップと、を含むものである。
【発明の効果】
【００１９】
本発明は、対向伝送装置との間で通信断が発生したとき、回線自動復旧機能（ＡＲＣ機能）によるリスタートパルスの受信状況を、主信号の伝送路とは別の監視チャネルを用いて対向伝送装置に通知し、自装置及び対向伝送装置におけるリスタートパルスの受信状況を基に、自装置又は対向伝送装置の伝送路或いは自装置と対向伝送装置との間の伝送路の何れに障害が発生しているのかを特定することが可能となる。
【図面の簡単な説明】
【００２０】
【図１】本発明の伝送装置の構成例を示す図である。
【図２】本発明の障害発生箇所特定の処理フローを示す図である。
【図３】Ａ局の伝送装置におけるリスタートパルスの受信結果の送出の構成例を示す図である。
【図４】Ｂ局の伝送装置におけるリスタートパルスの受信結果の送出の構成例を示す図である。
【図５】従来の波長分割多重方式等の伝送装置の構成例を示す図である。
【図６】リスタートパルスの発生の動作例を示す図である。
【発明を実施するための形態】
【００２１】
本発明の伝送装置は、ネットワーク断等による通信断の障害発生時に、インタフェース盤５−１１，５−２１で、一旦、送信信号の送出を停止した状態で、監視制御盤（ＣＯＮＴ）５−１４，５−２４から一定のタイミングのパルス信号を用い、障害復旧の確認のために送出されるリスタートパルスを利用し、該リスタートパルスの受信状況により、通信断の障害発生箇所を特定可能にする。
【００２２】
図１に本発明の伝送装置の構成例を示す。インタフェース盤５−１１，５−２１は、通信断の障害発生時に、監視制御盤（ＣＯＮＴ）５−１４，５−２４の制御により、送信信号の送出を停止した状態で、障害が復旧するまで、所定の間隔でリスタートパルスを送出する。
【００２３】
前置増幅部（ＰｒｅＡＭＰＡ）５−１３，５−２３及びインタフェース盤５−１１，５−２１は、該リスタートパルスの受信結果を、監視制御盤（ＣＯＮＴ）５−１４，５−２４に送出する。監視制御盤（ＣＯＮＴ）５−１４，５−２４は、該リスタートパルスの受信結果を、対向する伝送装置に、伝送路（３）とは別のアウトバンドの監視チャネル（ＯＳＣ）盤５−１５，５−２５により監視信号として通知する。各伝送装置５−１，５−２では、自装置におけるリスタートパルスの受信結果、及び対向装置におけるリスタートパルスの受信結果の組み合わせを基に、通信断の原因となった障害発生箇所を特定する。
【００２４】
図２に本発明の障害発生箇所特定の処理フローを示す。まず、初期設定として、監視制御盤（ＣＯＮＴ）５−１４，５−２４内のソフトウェア処理において、Ａ局のインタフェース盤（ＩＦ＃１〜８）でのリスタートパルスの受信結果を記憶する記憶部ＩＦＡを０（未受信）に設定する。また、Ｂ局のインタフェース盤（ＩＦ＃９〜１６）でのリスタートパルスの受信結果を記憶する記憶部ＩＦＢを０（未受信）に設定する。また、Ａ局の前置増幅部（ＰｒｅＡＭＰＡ）でのリスタートパルスの受信結果を記憶する記憶部ＰｒｅＡを０（未受信）に設定する。また、Ｂ局の前置増幅部（ＰｒｅＡＭＰＢ）でのリスタートパルスの受信結果を記憶する記憶部ＰｒｅＢを０（未受信）に設定する。即ち、ＩＦＡ＝０，ＩＦＢ＝０，ＰｒｅＡ＝０，ＰｒｅＢ＝０と設定する。
【００２５】
そして、Ａ局の伝送装置のインタフェース盤ＩＦ＃１〜８の何れか１つでもリスタートパルスを受信したか否かを監視し（ステップ２−１）、受信した場合、その受信結果を記憶する記憶部ＩＦＡを１（受信済）に設定する（ステップ２−２）。また、Ｂ局のインタフェース盤ＩＦ＃９〜１６の何れか１つでもリスタートパルスを受信したか否かを監視し（ステップ２−３）、受信した場合、その受信結果を記憶する記憶部ＩＦＢを１（受信済）に設定する（ステップ２−４）。
【００２６】
また、Ａ局の前置増幅部（ＰｒｅＡＭＰＡ）でリスタートパルスを受信したか否かを監視し（ステップ２−５）、受信した場合、その受信結果を記憶する記憶部ＰｒｅＡを１（受信済）に設定する（ステップ２−６）。また、Ｂ局の前置増幅部（ＰｒｅＡＭＰＢ）でリスタートパルスを受信したか否かを監視し（ステップ２−７）、受信した場合、その受信結果を記憶する記憶部ＰｒｅＢを１（受信済）に設定する（ステップ２−８）。
【００２７】
次に、上述の各記憶部ＩＦＡ，ＩＦＢ，ＰｒｅＡ，ＰｒｅＢの記憶内容を読み出し、記憶部ＩＦＡに１、ＩＦＢに０、ＰｒｅＡに１、ＰｒｅＢに０が記憶されていると判定された場合（ステップ２−９）、Ａ局ではＢ局から送出されたリスタートパルスが受信されるが、Ｂ局ではＡ局から送出されたリスタートパルスが前置増幅部（ＰｒｅＡＭＰＢ）でもインタフェース盤ＩＦ＃９〜１６でも受信されないため、伝送路（１）が断の状態であると判定する(ステップ２−１０)。
【００２８】
また、記憶部ＩＦＡに０、ＩＦＢに１、ＰｒｅＡに１、ＰｒｅＢに１が記憶されていると判定された場合（ステップ２−１１）、Ａ局ではＢ局から送出されたリスタートパルスが前置増幅部（ＰｒｅＡＭＰＡ）で受信されるが、インタフェース盤ＩＦ＃１〜８で受信されず、Ｂ局ではＡ局から送出されたリスタートパルスが前置増幅部（ＰｒｅＡＭＰＢ）でもインタフェース盤ＩＦ＃９〜１６でも受信されるため、伝送路（２）が断の状態であると判定する(ステップ２−１２)。
【００２９】
また、記憶部ＩＦＡに０、ＩＦＢに０、ＰｒｅＡに０、ＰｒｅＢに０が記憶されていると判定された場合（ステップ２−１３）、Ａ局ではＢ局から送出されたリスタートパルスが前置増幅部（ＰｒｅＡＭＰＡ）でもインタフェース盤ＩＦ＃１〜８で受信されず、Ｂ局ではＡ局から送出されたリスタートパルスが前置増幅部（ＰｒｅＡＭＰＢ）でもインタフェース盤ＩＦ＃９〜１６でも受信されないため、伝送路（３）が断の状態であると判定する(ステップ２−１４)。
【００３０】
また、記憶部ＩＦＡに１、ＩＦＢに０、ＰｒｅＡに１、ＰｒｅＢに１が記憶されていると判定された場合（ステップ２−１５）、Ａ局ではＢ局から送出されたリスタートパルスが前置増幅部（ＰｒｅＡＭＰＡ）でもインタフェース盤ＩＦ＃１〜８で受信され、Ｂ局ではＡ局から送出されたリスタートパルスが前置増幅部（ＰｒｅＡＭＰＢ）で受信されるが、インタフェース盤ＩＦ＃９〜１６で受信されないため、伝送路（４）が断の状態であると判定する(ステップ２−１６)。
【００３１】
上記以外の場合、伝送路（５）が断の状態であると判定する(ステップ２−１７)。或いは、上記のステップ２−１７に代えて、記憶部ＩＦＡに０、ＩＦＢに１、ＰｒｅＡに０、ＰｒｅＢに１が記憶されていると判定された場合、Ａ局ではＢ局から送出されたリスタートパルスが前置増幅部（ＰｒｅＡＭＰＡ）でもインタフェース盤ＩＦ＃１〜８で受信されず、Ｂ局ではＡ局から送出されたリスタートパルスが前置増幅部（ＰｒｅＡＭＰＢ）でもインタフェース盤ＩＦ＃９〜１６で受信されるため、伝送路（５）が断の状態であると判定する構成とすることもできる。このように、何れの箇所が断の状態となったかを特定することが可能となる。
【００３２】
図３にＡ局の伝送装置におけるリスタートパルスの受信結果の送出の構成例を示す。同図に示すように、Ａ局の伝送装置の前置増幅部（ＰｒｅＡＭＰＡ）５−１３及びインタフェース盤（ＩＦ＃１〜８）５−１１は、リスタートパルスを受信すると、該受信結果を自装置の監視制御盤（ＣＯＮＴ）５−１４に送出し、監視制御盤（ＣＯＮＴ）５−１４は、該リスタートパルスの受信結果を、対向するＢ局の伝送装置５−２の監視制御盤（ＣＯＮＴ）５−２４に、主伝送路とは別の監視チャネルを介して通知する。
【００３３】
図４にＢ局の伝送装置におけるリスタートパルスの受信結果の送出の構成例を示す。同図に示すように、Ｂ局の伝送装置の前置増幅部（ＰｒｅＡＭＰＢ）５−２３及びインタフェース盤（ＩＦ＃９〜１６）５−２１は、リスタートパルスを受信すると、該受信結果を自装置の監視制御盤（ＣＯＮＴ）５−２４に送出し、監視制御盤（ＣＯＮＴ）５−２４は、該リスタートパルスの受信結果を、対向するＢ局の伝送装置５−２の監視制御盤（ＣＯＮＴ）５−１４に、主伝送路とは別の監視チャネルを介して通知する。
【符号の説明】
【００３４】
５−１  Ａ局の伝送装置
５−２  Ｂ局の伝送装置
５−１１，５−２１  インタフェース盤
５−１２，５−２２  合成分岐増幅部
５−１３，５−２３  前置増幅部
５−１４，５−２４  監視制御盤
５−１５，５−２５  監視チャネル盤
【図１】
0005444045.tif 000002
【図２】
0005444045.tif 000003
【図３】
0005444045.tif 000004
【図４】
0005444045.tif 000005
【図５】
0005444045.tif 000006
【図６】
0005444045.tif 000007